(57)【特許請求の範囲】
【請求項１】
上下に開口する筒状のハウジングの側面部にスライド式のスイッチハンドルと、該スイッチハンドルにより回転される回転カムとを設け、該回転カムにハウジング内に向けて突出する回転伝達部を設け、前記上下に開口する筒状のハウジングの開口部からハウジング内に挿入されるシャーシブロックに接点部を開閉するための接点スライダーと、回転により接点スライダーをスライド操作するための回転プレートとを設け、前記回転カムに設けたハウジング内に向けて突出する回転伝達部を回転プレートに形成した係合溝に挿入係合して、回転伝達部の回転が回転プレートの回転に変換されるように構成し、該係合溝に回転伝達部を係合溝内に挿入するための挿入用開口部を形成し、前記筒状のハウジングの開口部からシャーシブロックをハウジング内に挿入して前記係合溝内に回転伝達部を挿入できるように、回転プレートを回転軌跡の範囲内の任意の位置に位置させた状態で、前記挿入用開口部を係合溝の筒状のハウジングへのシャーシブロックの挿入方向と同方向側に設けて成ることを特徴とするスイッチ。
【請求項２】
シャーシブロックにスライド自在に設けた接点スライダーに回転プレートを係合手段で係合保持して成ることを特徴とする請求項１記載のスイッチ。
【請求項３】
スイッチハンドルと接点スライダーとが横方向にずれて配置され、横にずれて配置したスイッチハンドルと接点スライダーとを回転カムと回転プレートとを介して連動させて成ることを特徴とする請求項１記載のスイッチ。
【発明の詳細な説明】
【０００１】
【産業上の利用分野】
本発明は、電気かみそり等の電気機器、特に防水型の電気機器に用いられるスイッチに関するものである。
【０００２】
【従来の技術】
従来から防水式の電気かみそり等においてハウジング１としては図１２に示すように筒状のハウジング１が用いられ、この筒状のハウジング１にシャーシブロック４を挿入して組み立てを行っている。ここで、シャーシブロック４にはシャーシ１８に刃を駆動するための動力源であるモータ２１やモータ２１の電源である電池２２等を組み込んで構成してあり、モータ２１をオン、オフするためのスイッチ、電池２２、モータ２１を電気的に接続する電路を鈑金やリード線等で配線している。
【０００３】
ところで、電気かみそり等は持ちやすさ、使い易さなどを考えて適度な長さと、限られた幅、制約された厚みでデザインされるものであり、特定のスペースを必要とするスイッチブロックは上述の点で長さ方向、すなわち、シャーシブロック４の挿入方向に摺動するように配置されている。
このような、スイッチは、例えば、図１２に示すように筒状のハウジング１の外にスライド自在に配設されたスイッチハンドル２と、スイッチハンドル２に係合されスイッチハンドル２を摺動させると回転運動を行うハウジング１に設けられた回転カム３、シャーシ１８にスライド自在に取付けられた回転カム３の偏心ボス３ｂが係合する長溝５ａを設けた接点スライダー５により構成されている。そして、接点スライダー５を摺動させるために、回転カム３の偏心ボス３ｂと接点スライダー５に設けた長孔５ａを係合させるのであるが、長孔５ａはシャーシブロック４の挿入方向（図１２において矢印イで示す）に対して直交する方向に長い長溝となっており、この長溝への偏心ボスの挿入方向（図１２において矢印ロで示す）が上記シャーシブロック４の挿入方向と異なっているため、シャーシブロック４を筒状のハウジング１に挿入した後に偏心ボス３ｂを長孔５ａに挿入係合させる必要がある。このため、従来にあっては、シャーシブロック４を組み立てた後、ハウジング１に挿入し、次に、ハウジング１に回転カム３を組み立てて回転カム３の偏心ボス３ｂを長孔５ａに挿入係合させ、更にハウジング１にスイッチハンドル２を組み付けるという組み立て手順となる。
【０００４】
【発明が解決しようとする課題】
上記の従来例にあっては、シャーシをハウジング１に組み付けてからでないとハウジング１に回転カム３やスイッチハンドル２を組み付けてスイッチを完成させることができず、このため、シャーシブロック４とハウジング１ブロックとを別々に完成させておくことができず、組み立て、分解が容易にできないという問題がある。また、スイッチの動作確認が、シャーシブロック４にハウジング１を組み付け、更に、ハウジング１に回転カム３やスイッチハンドル２を組み付けてからでないとスイッチの動作確認ができず、不良があると手直しが困難であり、品質の確保や信頼性の面で問題があった。
【０００５】
また、従来にあっては、回転カム３の偏心ボス３ｂを直接接点スライダー５の長孔５ａに係合させてスイッチハンドル２の摺動を回転カム３を介して接点スライダー５に伝える構成のため、スイッチハンドル２と接点スライダー５とを近づけて配置するか、あるいはスイッチハンドル２と接点スライダー５とを離して配置する場合には回転カム３の回転軸部３ａを大きくする必要がある。
【０００６】
このため、前者の場合にはスイッチハンドル２と接点スライダー５との位置が限定されてしまい設計の柔軟性がないという問題がある。
また、後者の場合にはスイッチハンドル２と接点スライダー５とを離して配置するには回転カム３の回転軸部３ａの径を図１３に示すように大きくする必要があり、これに対応してハウジング１に設けるカム挿入穴部１０が大きくなり、このため、径の大きなカム挿入穴部１０内に径の大きな防水用のＯリング１２をはめ込み、このカム挿入穴部１０内にはめ込んだ径の大きなＯリング１２内に回転軸部３ａをはめ込んだ場合、径の大きい回転軸部３ａの外周と径の大きなＯリング１２の内周とが密接して防水をはかるため、回転軸部３ａの回転に当たってＯリング１２との摩擦抵抗が大きくなり、このため、スイッチハンドル２のスライド操作性が悪くなり、スイッチハンドル２のスムーズで且つ軽い操作性が得にくいという問題がある。
【０００７】
本発明は上記の従来例の問題点に鑑みて発明したものであって、本発明の主な目的とするところは、組み立てや分解が容易に行え、しかも品質を確保して信頼性の高いスイッチを提供するにあり、また、別の目的とするところは、組み立て性をいっそう向上させることができるスイッチを提供するにあり、また、別な目的とするところは、スイッチハンドルと接点スライダーとの取付け位置を任意の位置に設定することができるスイッチを提供するにある。
【０００８】
【課題を解決するための手段】
上記従来例の問題点を解決して本発明の目的を達成するため、本発明のスイッチは、上下に開口する筒状のハウジング１の側面部にスライド式のスイッチハンドル２と、該スイッチハンドル２により回転される回転カム３とを設け、該回転カム３にハウジング１内に向けて突出する回転伝達部７を設け、前記上下に開口する筒状のハウジング１の開口部からハウジング１内に挿入されるシャーシブロック４に接点部を開閉するための接点スライダー５と、回転により接点スライダー５をスライド操作するための回転プレート６とを設け、前記回転カム３に設けたハウジング１内に向けて突出する回転伝達部７を回転プレート６に形成した係合溝８に挿入係合して、回転伝達部７の回転が回転プレート６の回転に変換されるように構成し、該係合溝８に回転伝達部７を係合溝８内に挿入するための挿入用開口部９を形成し、前記筒状のハウジング１の開口部からシャーシブロック４をハウジング１内に挿入して前記係合溝８内に回転伝達部７を挿入できるように、回転プレート６を回転軌跡の範囲内の任意の位置に位置させた状態で、前記挿入用開口部９を係合溝８の筒状のハウジング１へのシャーシブロック４の挿入方向と同方向側に設けて成ることを特徴とするものである。
【０００９】
そして、シャーシブロック４にスライド自在に設けた接点スライダー５に回転プレート６を係合手段で係合保持することが好ましい。
また、スイッチハンドル２と接点スライダー５とが横方向にずれて配置され、横にずれて配置したスイッチハンドル２と接点スライダー５とを回転カム３と回転プレート６とを介して連動させる構成とすることも好ましい。
【００１０】
【作用】
しかして、上記のような構成の本発明によれば、筒状のハウジング１にスライド式のスイッチハンドル２と、該スイッチハンドル２により回転される回転カム３とを設けてハウジングブロックを完成し、また、ハウジング１に挿入するシャーシブロック４に接点部を開閉するための接点スライダー５と、回転により接点スライダー５をスライド操作するための回転プレート６とを設けてシャーシブロック４を完成し、このようにスイッチハンドル２や回転カム３を組み付けたハウジングブロックの筒状のハウジング１内に接点スライダー５や回転プレート６を組み付けたシャーシブロック４を挿入することで、同時に回転カム３の回転伝達部７を回転プレート６の係合溝８に挿入係合してスイッチの組み立てを完成することになる。
【００１１】
そして、シャーシブロック４にスライド自在に設けた接点スライダー５に回転プレート６を係合手段で係合保持することで、回転プレート６の保持ができてハウジング１にシャーシブロック４を挿入して組み立てる際に回転プレート６が外れたりせず、組み立て性を向上させることになる。
また、スイッチハンドル２と接点スライダー５とが横方向にずれて配置され、横にずれて配置したスイッチハンドル２と接点スライダー５とを回転カム３と回転プレート６とを介して連動させることで、スイッチハンドル２と接点スライダー５とを離して配置できて、スイッチハンドル２と接点スライダー５との取付け位置を任意の位置に設定できることになる。
【００１２】
【実施例】
本発明を以下添付図面に示す実施例に基づいて詳述する。
添付図面に示す実施例においては、本発明のスイッチを備えた電気機器として電気かみそりの例が示してある。ここで電気かみそりとしては往復式電気かみそりが例示してある。図２にはハウジング１の正面図が示してあり、図４には斜視図が示してある。ハウジング１は筒状をしており、筒状のハウジング１の一側面にカム挿入穴部１０が設けてあり、このカム挿入穴部１０の底に図６に示すように回転伝達部挿通孔１１が穿孔してあり、この回転伝達部挿通孔１１はハウジング１の内外に連通しているものである。
【００１３】
カム挿入穴部１０には防水用のＯリング１２をはめ込み、更にＯリング１２内に回転カム３の回転軸部３ａが回転自在にはめ込んであり、回転カム３の回転軸部３ａの下面に突設した突起状をした回転伝達部７がハウジング１内に突出している。回転伝達部７は断面非円形をしており、添付図面に示す実施例では図１、図２に示すように断面長方形状をしている。実施例においては図１、図２、図６、図７等に示すように回転伝達部７は回転カム３の回転中心上に設けてある。この実施例では図７に示すように上記断面長方形状をした回転伝達部７の長辺が回転カム３の回転軸部３ａの直径と等しくしてあるが、必ずしも回転伝達部７の長辺と回転カム３の回転軸部３ａの直径と等しくするものに限定されるものではない。
【００１４】
ハウジング１の上記カム挿入穴部１０を設けた側面には更に、係合突起１３が突設してあり、該ハウジング１の側面にハンドルブロック１４を当て、ハンドルブロック１４の係合突部１５を係合することでハンドルブロック１４をハウジング１の側面部に取付けてあり、このようにハンドルブロック１４をハウジング１に取付けることで、上記カム挿入穴部１０に回転軸部３ａをはめ込んで回転カム３がハンドルブロック１４により押さえられてカム挿入穴部１０から離脱しないようになっている。
【００１５】
ここで、ハンドルブロック１４にはスイッチハンドル２が筒状のハウジング１の長手方向に対してスライド自在に取付けてあり、このスイッチハンドル２に設けた溝部１６に回転カム３に設けたボス部１７が係合されるものである。したがって、スイッチハンドル２をハウジング１の長手方向に対してスライドさせると、回転カム３が回転運動を行い、回転カム３が回転運動を行うことで、回転カム３に設けた回転伝達部７が回転運動を行う。この時、回転伝達部７の回転角度はスイッチハンドル２のストローク及び回転カム２の中心から回転伝達部７までの距離により任意に設定することができる。
【００１６】
また、ハウジング１の一側面には図７、図１１に示すように透明の材料により形成したランプカバー５０、透明の材料により形成した上下方向（つまりハウジング１の長手方向）に細長い表示パネル５１が設けてある。ここで、ランプカバー５０は上下方向に細長い透明板部の背面部に上下方向に複数個の突部を突出したものである。
【００１７】
次に、ハウジング１に挿入するシャーシブロック４につき説明する。図３にはシャーシブロック４の正面図が示してある。シャーシブロック４はシャーシ１８に内刃１９を駆動するための駆動子２０、駆動子２０を駆動する動力源であるモータ２１、モータ２１の電源である電池２２、充電状態を表示したり、充電制御を行う回路ブロック２３、これらの電気部品を接続するための鈑金類、接点部を開閉するための接点スライダー５等を組み込んで構成してある。シャーシ１８に取付けられたプリント板よりなる回路ブロック２３には図４、図７に示すように充電残量の表示を行うためのＬＥＤのような発光素子５２が上下方向（つまりシャーシ１８の長手方向）に複数個設けてある。また、シャーシ１８の下端部には底カバー４９がねじにより取付けられる。
【００１８】
接点スライダー５はシャーシ１８にシャーシ１８の長手方向に対してスライド自在に取付けてあり、この接点スライダー５にはスイッチばね２４を取着してあり、接点スライダー５をスライドすることで、スイッチばね２４を介して鈑金よりなる固定接点２５ａ、２５ｂを電気的に導通させたり、あるいは電気的導通を断ったりする（つまりスイッチの接点部をオン、オフして開閉する）ものである。
【００１９】
接点スライダー５をシャーシ１８にスライド自在に取付けるには、図６に示すようにシャーシ１８に設けた係合フック２７に接点スライダー５に設けた被係合用フック２８をスライド自在に係合することにより取付けてある。
また、接点スライダー５には回転プレート６が係合保持してあり、この回転プレート６は図１０に示すように、接点スライダー５に設けたボス部２９を回転プレート６に設けた長孔３０に回転自在に挿入し、更に、長孔３０の上半部は下半分よりも幅広となっていてボス部２９に設けた膨大部３１が長孔３０の幅広部分３２にはめ込まれることで、図１０の矢印Ｆ方向に外力が作用しても回転プレート６が接点スライダー５から抜けないように保持されている。なお、ここで、回転プレート６にボス部２９を設け、接点スライダー５に長孔３０を設けて接点スライダー５に回転プレート６を係合保持してもよいものである。シャーシ１８には図３、図６に示すように軸受け用凹部３３が設けてあり、この軸受け用凹部３３に回転プレート６の回転軸部３４がはめ込まれ、回転プレート６が回転軸部３４を中心に回転することで、該回転プレート６の回転に伴い接点スライダー５がスライドして接点部をオン、オフして開閉し、モータ２１を回転させたり、モータ２１の回転を停止するようになっている。
【００２０】
回転プレート６には回転カム３の回転伝達部７が挿入係合されるための係合溝８が形成してある。図３の実施例においては、係合溝８はＵ状をしていて係合溝８は回転プレート６の回転中心に位置している。この係合溝８は回転プレート６の回転軌跡の範囲内の任意の位置において係合溝８への回転伝達部７の挿入用開口部９の開口方向がシャーシブロック４のハウジング１への挿入方向と同方向としてある。ここで、実施例においては、図１に示すように、回転プレート６の回転軌跡中接点部がオフの位置に対応した回転プレート６の位置でちょうどＵ字状の係合溝８の挿入用開口部９の開口方向がシャーシブロック４のハウジング１への挿入方向と同方向となるようにしてある。つまり、モータ２１の回転が停止し、駆動子２０が非回転の状態の時に係合溝８の挿入用開口部９方向がシャーシブロック４のハウジング１への挿入方向と同方向となることで、シャーシブロック４をハウジング１に挿入したり、抜き取ったりする際に、駆動子２０が回転することなく、駆動子２０の回転に邪魔されることなく簡単にシャーシブロック４の挿入作業や抜き取り作業ができることになる。
【００２１】
しかして、シャーシブロック４をハウジング１に挿入するには、上記のように係合溝８の挿入用開口部９の開口方向をシャーシブロック４のハウジング１への挿入方向と同方向となるように位置させ、また、ハウジング１内に突出した断面長方形状の回転伝達部７を長辺がハウジング１の長手方向（つまりシャーシブロック４の挿入方向）と同方向となるように位置させる。つまり、添付図面に示す実施例においては、接点部がオフの位置に対応した位置に回転プレート６を位置させ、また、スイッチハンドル２をオフ位置に位置させることで、回転伝達部７と係合溝８とをそれぞれ挿入用開口部９から挿入できる位置関係にすることができる。この状態で、シャーシブロック４をハウジング１の下端開口部から挿入し、Ｕ字状をした係合溝８の挿入用開口部９から断面長方形状の回転伝達部７を挿入して係合するものである。図１にはシャーブロック４をハウジング１に挿入している途中の状態が示してある。このようにして、シャーシブロック４がハウジング１に挿入されて組み込まれた後、ハウジング１の上面部の駆動子２０が突出している上面開口部に防塵ゴム４０を取付け、更にハウジング１の上面部にゴム押さえ板４１を取付け、ゴム押さえ板４１の孔に挿入した取付けねじ４２をハウジング１の上面部の孔を貫通させて該取付けねじ４２の先端部をシャーシ１８に螺合することで、シャーシブロック４をハウジング１にゴム押さえ板４１と共に取付けるものであり、この時、ゴム押さえ板４１により防振ゴム４０の周囲部がハウジング１の上面部に押圧挟持されて防水性が確保されるようになっている。
【００２２】
そして、駆動子２０には内刃１９が着脱自在に取付けられ、また、ハウジング１の上端部には外刃フレーム４３に外刃カセット４４を取付けて構成した外刃ブロック４５の外刃フレーム４３が着脱自在に取付けてある。
シャーシブロック４をハウジング１から取り外すには上記と逆の手順で取り外すものである。
【００２３】
しかして、上記のようにシャーシブロック４をハウジング１に挿入することで同時に係合溝８に回転伝達部７が挿入係合されるので、組み立てられた電気機器はハウジング１の外面側に配設されたスイッチハンドル２をハウジング１の長手方向に対してスライド操作すると、スイッチハンドル２のスライドに伴って回転カム３が回転運動を行い、回転カム３が回転運動を行うことで、回転カム３に設けた回転伝達部７が回転運動を行い、回転伝達部７が係合溝８に係合してあることで、回転プレート６が軸受け用凹部３３を中心に回転し、回転プレート６の回転に伴い接点スライダー５がスライドして接点部をオン、オフして開閉するものであり、実施例では電気器具が往復式電気かみそりの例が示してあるので、モータ２１がオン、オフして駆動子２０に取付けた内刃ブロック４２が往復駆動するものである。ここで、図８の（ａ）にはスイッチハンドル２をオン側にスライドした際における回転カム３に設けた回転伝達部７の向きを示し、図８の（ｂ）はスイッチハンドル２をオン側にスライドして接点部をオンにした場合の接点スライダー５の位置及び回転プレート６の向きを示し、また、図９の（ａ）にはスイッチハンドル２をオフ側にスライドした際における回転カム３に設けた回転伝達部７の向きを示し、図９の（ｂ）はスイッチハンドル２をオフ側にスライドして接点部をオンにした場合の接点スライダー５の位置及び回転プレート６の向きを示している。
【００２４】
また、シャーシブロック４をハウジング１に挿入して組み込んだ場合、回路ブロック２３に設けた充電残量の表示を行うための複数のＬＥＤよりなる発光素子５２にハウジング１に設けたランプカバー５０が対向し、発光素子５２による充電残量を示す光がランプカバー５０を介して表示パネル５１を通ってハウジング１外に発光するようになっている。
【００２５】
ここで、表示パネル５１は図１１に示すように表面は曲面状になっており、表示パネル５１がハウジング１の上部側にいくに従って曲率Ｒが徐々に変化し、上部に行くほど曲率Ｒは小さくなるように設定してある。この場合、複数のＬＥＤよりなる発光素子５２の種類は同一とし、また輝度も同程度とした時、上記のように表示パネル５１がハウジング１の上部側にいく曲率Ｒは小さくなるように設定してあるので、上部の発光素子５２（つまり充電容量の大きい方の発光素子５２）を下部の発光素子５２（つまり充電容量の小さい方の発光素子５２）より発光の大きさ及び明るさを目立たせることができ、離れた所からでも充電完了が近付いていることが判るようになっている。また、図７に示すように拡大レンズを兼ねた表示パネル５１と光源である発光素子５２との距離ａ、ｂを徐々に変化させて上部側程該距離が長くなるようにすることで、更に、上部側程（つまり充電容量の大きい程）発光を強調させることができる。ランプカバー５０はハウジング１の内部を防水するためやハウジング１の外部と内部の電気まわりとを絶縁するための距離を確保するための部品であるが、このランプカバー５０に図１１に示すように発光素子５２側に凸となったレンズ部５０ａを設けることで拡大率を向上することができるものである。
【００２６】
なお、上記した添付図面においては、回転伝達部７を回転カム３の回転中心上に設けた例を示したが、回転伝達部７を回転カム３の回転中心から偏心させてもよい。このように回転伝達部７を回転カム３の回転中心から偏心させた場合には回転伝達部７の断面は長方形でなくても円形であってもよい。この場合、回転プレート６のＵ字状をした係合溝８は回転プレート６の回転中心から偏心させるようにする。
【００２７】
なお、添付図面において、６０はハウジング１の両側から被嵌される側パネルであり、６１はハウジング１に取付けられるトリマーブロックを示している。
上記実施例においてはスイッチを備えた電気機器として電気かみそりの例が示してあるが、もちろん電気かみそりのみに限定されず、スイッチを備えた電気機器としては他の種々の電気機器が対応できるものである。
【００２８】
【発明の効果】
本発明の請求項１記載の発明にあっては、上述のように、上下に開口する筒状のハウジングの側面部にスライド式のスイッチハンドルと、該スイッチハンドルにより回転される回転カムとを設け、該回転カムにハウジング内に向けて突出する回転伝達部を設け、前記上下に開口する筒状のハウジングの開口部からハウジング内に挿入されるシャーシブロックに接点部を開閉するための接点スライダーと、回転により接点スライダーをスライド操作するための回転プレートとを設け、前記回転カムに設けたハウジング内に向けて突出する回転伝達部を回転プレートに形成した係合溝に挿入係合して、回転伝達部の回転が回転プレートの回転に変換されるように構成し、該係合溝に回転伝達部を係合溝内に挿入するための挿入用開口部を形成し、前記筒状のハウジングの開口部からシャーシブロックをハウジング内に挿入して前記係合溝内に回転伝達部を挿入できるように、回転プレートを回転軌跡の範囲内の任意の位置に位置させた状態で、前記挿入用開口部を係合溝の筒状のハウジングへのシャーシブロックの挿入方向と同方向側に設けてあるので、別々に組み立てたシャーシブロックとハウジングとを用意し、シャーシブロックをハウジングに挿入するのみで、ハウジングに設けたスイッチハンドルの動作を接点スライダーの動作に伝達できる伝達機構を構成することができるものであり、組み立てや分解が簡略化して容易に行え、また、回転プレート、接点スライダー、接点部を組み立てたシャーシブロック、スイッチハンドル、回転カムを組み立てたハウジングを別々に組み立て、それぞれのブロックとしてスライド接点の動作確認や、スイッチハンドルの回転カムとの動作確認等の品質をブロックごとに確認できるので、品質を確保して信頼性の高いスイッチを提供することができるものである。
【００２９】
また、請求項２記載の発明にあっては、上記請求項１記載の発明の効果に加えて、シャーシブロックにスライド自在に設けた接点スライダーに回転プレートを係合手段で係合保持してあるので、回転プレートの保持ができてハウジングにシャーシブロックを挿入して組み立てる際に回転プレートが外れたりせず、組み立て性を向上させることができるものである。
【００３０】
また、請求項３記載の発明にあっては、上記請求項１記載の発明の効果に加えて、スイッチハンドルと接点スライダーとが横方向にずれて配置され、横にずれて配置したスイッチハンドルと接点スライダーとを回転カムと回転プレートとを介して連動させてあるので、スイッチハンドルと接点スライダーとを離して配置できて、この結果、スイッチハンドルと接点スライダーとの取付け位置を任意の位置に設定できるものである。
【図面の簡単な説明】
【図１】本発明のハウジングにシャーシブロックを挿入している途中の状態の一部破断した正面図である。
【図２】同上のハウジングの一部破断した拡大正面図である。
【図３】同上のシャーシブロックの拡大正面図である。
【図４】同上の電気機器が電気かみそりの場合における全体を示す分解斜視図である。
【図５】同上の全体正面図である。
【図６】同上の横断面図である。
【図７】同上の縦断面図である。
【図８】（ａ）は同上のスイッチの接点部がオンの状態における回転カムに設けた回転伝達部の位置を示す正面図であり、（ｂ）はスイッチ部がオンの状態における回転プレートと接点スライダーとの位置関係を示す正面図である。
【図９】（ａ）は同上のスイッチの接点部がオフの状態における回転カムに設けた回転伝達部の位置を示す正面図であり、（ｂ）はスイッチ部がオフの状態における回転プレートと接点スライダーとの位置関係を示す正面図である。
【図１０】同上の回転プレートを接点スライダーに係合により取付けている部分の断面図である。
【図１１】同上の表示パネル及びランプカバーの取付け部分における断面図である。
【図１２】従来例を示す分解斜視図である。
【図１３】従来例の回転カムを下方から見た斜視図である。
【符号の説明】
１  ハウジング
２  スイッチハンドル
３  回転カム
４  シャーシブロック
５  接点スライダー
６  回転プレート
７  回転伝達部
８  係合溝
９  挿入用開口部
【図１】
0003716433.tif 000002
【図２】
0003716433.tif 000003
【図３】
0003716433.tif 000004
【図４】
0003716433.tif 000005
【図５】
0003716433.tif 000006
【図６】
0003716433.tif 000007
【図７】
0003716433.tif 000008
【図８】
0003716433.tif 000009
【図９】
0003716433.tif 000010
【図１０】
0003716433.tif 000011
【図１１】
0003716433.tif 000012
【図１２】
0003716433.tif 000013
【図１３】
0003716433.tif 000014